(57)【特許請求の範囲】
【請求項１】
ＯＦＤＭＡライクの変調方式又はＳＣ−ＦＤＭＡライクの変調方式でシンボルを副搬送波にマッピングするために電気通信デバイスによって用いられるシフトパラメータｐを確定する方法であって、前記電気通信デバイスが少なくとも２つの送信アンテナを備え、前記シンボルが、前記電気通信デバイスの前記アンテナそれぞれを通じて、前記電気通信デバイスに割り当てられた２よりも大きな少なくとも偶数Ｋ個の副搬送波で送信され、
前記電気通信デバイスが、前記電気通信デバイスの第１のアンテナによって、タイムスロットの期間中に、ｋ＝０〜Ｋ−１とする番号「ｋ」の割り当てられた副搬送波それぞれで、周波数領域におけるシンボル「Ｘｋ」を表す信号を送信し、
前記電気通信デバイスが、前記電気通信デバイスの第２のアンテナによって、前記タイムスロットの期間中に、ｋ＝０〜Ｋ−１とする番号「ｋ」の割り当てられた副搬送波それぞれで、番号ｋの周波数それぞれについて、式Ｘ’ｋsecondAnt＝ε（−１）k+1Ｘ＊(p-1-k)modKによって前記第１の送信アンテナで送信される前記信号から導出されたシンボル「Ｘ’ｋ」を表す信号を送信し、ここで、εは値として１又は−１をとることができ、Ｘ＊はＸの複素共役を意味し、ｐ−１−ｋはモジュロＫがとられており、Ｋは偶数であり、ｐは偶数である、方法において、
副搬送波を前記電気通信デバイスに割り当てるステップであって、前記副搬送波が少なくとも２つのクラスタにグループ化され、前記クラスタそれぞれが、前記電気通信デバイスに割り当てられていない少なくとも１つの副搬送波によって別のクラスタから分離される、ステップと、
前記シフトパラメータｐを確定するステップであって、前記シフトパラメータｐが、偶数であり、前記電気通信デバイスに割り当てられた副搬送波のクラスタに応じて確定される、ステップと
を含み、
前記電気通信デバイスに割り当てられた最初の前記副搬送波及び最後の前記副搬送波から実用上の等距離にある前記副搬送波が、前記電気通信デバイスに割り当てられた副搬送波である場合、前記シフトパラメータｐは、前記電気通信デバイスに割り当てられ且つ第１のクラスタに含まれる副搬送波の数に等しいか、又は前記電気通信デバイスに割り当てられ且つ少なくとも２つのクラスタに含まれる副搬送波の数の合計に等しいことを特徴とする方法。
【請求項２】
前記最初の副搬送波及び前記最後の副搬送波から実用上の等距離にあるインデックスｎequidistantの前記副搬送波が、前記電気通信デバイスに割り当てられる場合、前記シフトパラメータｐは、以下の数式で求まる数字以下の最も近い偶整数として選択され、
【数１】
0005589055.tif 000014
ここで、ｑは、インデックスｎequidistantの前記副搬送波を含むクラスタＣＬｑのインデックスであり、Ｍｉは、クラスタＣＬｉに含まれる前記副搬送波の数であり、ｎｑは、前記クラスタＣＬｑの最初の前記副搬送波のインデックスであることを特徴とする請求項１に記載の方法。
【請求項３】
前記第１の送信アンテナ及び前記第２の送信アンテナのそれぞれでシンボルＸｋ及びシンボルＸ’ｋ（Ｘ’ｋ＝ε（−１）kＸ＊(p-1-k)modK、なおεは値として１をとる）がマッピングされているｋ番目の割り当てられた副搬送波と、前記第１の送信アンテナ及び前記第２の送信アンテナのそれぞれでシンボルＸ(p-1-k)modK及びシンボル（−１）(p-1-k)modKＸ＊ｋがマッピングされている（ｐ−１−ｋ）ｍｏｄＫ番目の割り当てられた副搬送波とがペアにされることを特徴とする請求項１に記載の方法。
【請求項４】
前記第１の送信アンテナ及び前記第２の送信アンテナのそれぞれでシンボルＸｋ及びシンボルＸ’ｋ（Ｘ’ｋ＝（−１）kＸ＊(p-1-k)modK）がマッピングされているｋ番目の割り当てられた副搬送波と、前記第１の送信アンテナ及び前記第２の送信アンテナのそれぞれでシンボルＸ(p-1-k)modK及びシンボル（−１）(p-1-k)modKＸ＊ｋがマッピングされている（ｐ−１−ｋ）ｍｏｄＫ番目の割り当てられた副搬送波とがペアにされ、前記シフトパラメータｐは、異なるクラスタにマッピングされている副搬送波とペアにされている副搬送波の数を最小にするように確定されることを特徴とする請求項１に記載の方法。
【請求項５】
前記方法は無線セルラー電気通信ネットワークの基地局によって実行され、前記電気通信デバイスは前記基地局によってハンドリングされる移動局であることを特徴とする請求項１〜４のいずれか一項に記載の方法。
【請求項６】
前記移動局に割り当てられた前記副搬送波を表す情報を前記移動局に送信するステップをさらに含むことを特徴とする請求項５に記載の方法。
【請求項７】
前記確定されたシフトパラメータを表す情報を送信するステップをさらに含むことを特徴とする請求項６に記載の方法。
【請求項８】
前記移動局について確定された前記シフトパラメータを用いて、前記移動局に割り当てられた副搬送波に対するシンボルをデマッピングするステップをさらに含むことを特徴とする請求項７に記載の方法。
【請求項９】
前記シフトパラメータｐの前記確定は、無線セルラー電気通信ネットワークの移動局によって実行されることを特徴とする請求項１〜４のいずれか一項に記載の方法。
【請求項１０】
シンボルを副搬送波にマッピングするために電気通信デバイスによって用いられるシフトパラメータｐを確定するデバイスであって、前記電気通信デバイスが少なくとも２つの送信アンテナを備え、前記シンボルが前記電気通信デバイスの前記アンテナそれぞれを通じて、前記電気通信デバイスに割り当てられた２よりも大きな少なくとも偶数Ｋ個の副搬送波で送信され、
前記電気通信デバイスが、前記電気通信デバイスの第１のアンテナによって、タイムスロットの期間中に、ｋ＝０〜Ｋ−１とする番号「ｋ」の割り当てられた副搬送波それぞれで、周波数領域におけるシンボル「Ｘｋ」を表す信号を送信し、
前記電気通信デバイスが、前記電気通信デバイスの第２のアンテナによって、前記タイムスロットの期間中に、ｋ＝０〜Ｋ−１とする番号「ｋ」の割り当てられた副搬送波それぞれで、番号ｋの周波数それぞれについて、式Ｘ’ｋsecondAnt＝ε（−１）k+1Ｘ＊(p-1-k)modKによって前記第１の送信アンテナで送信される前記信号から導出されたシンボル「Ｘ’ｋ」を表す信号を送信し、ここで、εは値として１又は−１をとることができ、Ｘ＊はＸの複素共役を意味し、ｐ−１−ｋはモジュロＫがとられており、ｐは偶数である、デバイスにおいて、
副搬送波を前記電気通信デバイスに割り当てる手段であって、前記副搬送波が少なくとも２つのクラスタにグループ化され、前記クラスタそれぞれが、前記電気通信デバイスに割り当てられていない少なくとも１つの副搬送波によって別のクラスタから分離される、手段と、
前記電気通信デバイスに割り当てられた最初の前記副搬送波及び最後の前記副搬送波から実用上の等距離にある前記副搬送波を求める手段と、
前記シフトパラメータｐを確定する手段であって、前記シフトパラメータｐが、偶数であり、前記電気通信デバイスに割り当てられた副搬送波のクラスタに応じて確定される、手段と
を備え、
前記電気通信デバイスに割り当てられた最初の前記副搬送波及び最後の前記副搬送波から実用上の等距離にある前記副搬送波が、前記電気通信デバイスに割り当てられた副搬送波である場合、前記シフトパラメータｐは、前記電気通信デバイスに割り当てられ且つ第１のクラスタに含まれる副搬送波の数に等しいか、又は前記電気通信デバイスに割り当てられ且つ少なくとも２つのクラスタに含まれる副搬送波の数の合計に等しいことを特徴とするデバイス。
【発明の詳細な説明】
【技術分野】
【０００１】
本発明は、包括的には、シンボルを転送するために電気通信デバイスによって用いられるシフトパラメータを確定する方法及びデバイスに関する。
【０００２】
より正確には、本発明は、特にＯＦＤＭ伝送方式又はＯＦＤＭＡライクの伝送方式と共に用いられるＭＩＭＯ（多入力多出力）通信の状況で用いられる符号化方式及び復号方式の分野に含まれる。
【背景技術】
【０００３】
直交周波数分割多重（ＯＦＤＭ）は、周波数分割多重（ＦＤＭ）の原理に基づいており、デジタル変調方式として実施される。送信されるビットストリームは、通常は数十から数千に至るいくつかの並列ビットストリームに分けられる。利用可能な周波数スペクトルはいくつかのサブチャネルに分割され、そして、例えばＰＳＫ、ＱＡＭ等の標準的な変調方式を用いて副搬送波を変調することによって、各低レートのビットストリームが１つのサブチャネルによって送信される。副搬送波の周波数は、変調されたデータストリームが互いに直交するように選ばれ、これは、サブチャネル間のクロストークが除去されることを意味する。
【０００４】
ＯＦＤＭの主要な利点は、ＯＦＤＭが、複雑な等化フィルタなしで、例えばマルチパス及び狭帯域の干渉といった深刻なチャネル状態をうまく処理することができることである。チャネル等化は、１つの高速変調された広帯域信号の代わりに多くの低速変調された狭帯域信号を用いることによって単純化される。
【０００５】
ＤＦＴ拡散ＯＦＤＭ又はＳＣ−ＦＤＭＡ（単一搬送波周波数分割多元接続）と呼ばれる変形形態が開発されている。このシステムでは、送信される各シンボルは、ＤＦＴ（離散フーリエ変換）によって送信周波数のセットにわたり拡散され、その結果の信号は、従来のＯＦＤＭＡ送信システムによって送信される。
【０００６】
符号化／復号の実際の実施は、周波数領域又は時間領域のいずれかで行われるが、周波数領域で実施する方が好ましい場合がある。
【０００７】
放射器及び受信機の双方にいくつかのアンテナを用いることによって、ＭＩＭＯシステムが得られるが、これによって、伝送のロバスト性の改善が可能になることが分かっている。この改善されたロバスト性は、従来のレンジ対帯域幅のトレードオフを調整することによってレンジ又は帯域幅を増加させるのに用いることができる。放射器において複数のアンテナを利用するためにいくつかのタイプのダイバーシティ方式を用いることができる。
【０００８】
アラモウチ（Alamouti）は、送信される情報がさまざまなアンテナによって空間において拡散され且つさまざまなタイムスロットを用いて時間において拡散される直交時空間ブロック符号（ＯＳＴＢＣ）を開発した。アラモウチ符号に関する参考論文は非特許文献１である。アラモウチ符号の第１の実施態様では、２つの送信アンテナ（ＦｉｒｓｔＡｎｔ及びＳｅｃｏｎｄＡｎｔ）が、２つのシンボルａ及びｂを２つのタイムスロット（Ｔ１及びＴ２）で転送するのに用いられる。時刻Ｔ１において、アンテナＦｉｒｓｔＡｎｔはシンボルａを送信し、その時、アンテナＳｅｃｏｎｄＡｎｔはシンボルｂを送信する。時刻Ｔ２において、アンテナＦｉｒｓｔＡｎｔはシンボル−ｂ*を送信し、その時、アンテナＳｅｃｏｎｄＡｎｔはシンボルａ*を送信する。ここで、「*」は複素共役を表す。このアラモウチ符号を、従来の時間におけるアラモウチ（classical Alamouti in time）と呼ぶことにする。このアラモウチ符号は、単純な符号化及び復号を提供する利点を有し、ダイバーシティが増加することによって、より良い性能がもたらされる。スループットは増加しないことに留意すべきである。最適なＭＡＰ（最大事後確率［Maximum A Posteriori］を表す）復号は非常に単純であり、チャネルがＴ１とＴ２との間で変動しない限り、且つチャネルを単純な乗算によって特徴付けることができる限り、この最適なＭＡＰ復号は、行列反転も、ログ列挙（log enumeration）も、球内復号も暗に含まない。最適なＭＡＰ復号は、必然的に、ＯＦＤＭ変調方式又はＯＦＤＭライクの変調方式とうまく組み合わせられる。
【０００９】
直交空間周波数ブロック符号（Orthogonal Space Frequency Block Code）を表すＯＳＦＢＣと呼ばれるアラモウチ符号の第２の実施態様は、２つの異なるタイムスロットによるのではなく、２つの異なる周波数（Ｆ１及びＦ２）によるデータの送信に基づいている。２つの送信アンテナ（ＦｉｒｓｔＡｎｔ及びＳｅｃｏｎｄＡｎｔ）によれば、２つのシンボルａ及びｂは、２つの周波数（Ｆ１及びＦ２）でそれぞれ送信され、アンテナＳｅｃｏｎｄＡｎｔがシンボルｂを送信する場合にはシンボルａを送信するアンテナＦｉｒｓｔＡｎｔが用いられる。アンテナＦｉｒｓｔＡｎｔを通じて、シンボル−ｂ*が周波数Ｆ１で送信され、シンボルａ*がアンテナＳｅｃｏｎｄＡｎｔを通じて周波数Ｆ２で送信される。
【００１０】
これらの２つの周波数は隣接し、チャネルの変動が制限される。
【００１１】
定義によれば、この方式は、ＯＦＤＭＡ変調方式又はＯＦＤＭＡライクの変調方式に適用される。ＯＦＤＭＡライクの変調によって、例えば単一搬送波方式の或る周波数領域の実施態様が示され、この実施態様では、好ましくは（ただし、厳密には必ずしもそうではない）、例えば説明したＤＦＴ拡散ＯＦＤＭのように、サイクリックプレフィックスが追加されている。ＯＳＴＢＣと比較すると、利点は、１つの変調スロットしか使用しないということである。これは、多重化の観点で有利となる可能性があり、高ドップラ（high Doppler）のようにチャネルが非常に高速に変動する場合に、より良好な性能をもたらす場合がある。アラモウチ符号は、その単純な実施態様及び良好な性能のために、ＭＩＭＯ伝送に用いられる非常に魅力的な方式である。これらの符号は、ＳＣ−ＦＤＭＡライクの変調方式に適用されると、各アンテナについて包絡線特性の変動が低い信号を生成する有用な特徴を有しておらず、包絡線は複素包絡線のモジュラスとなる。
【００１２】
公開特許発明の特許文献１において、この公開特許発明は、少なくとも２つの送信アンテナを備える放射器による無線データ放射の方法を提案している。第１のアンテナで送信される信号は、周波数領域では、放射器に割り当てられたＫ個の副搬送波のそれぞれにおけるシンボルの第１のアンテナでの放射をもたらすサイズＫのＤＦＴに起因するものと考えられる。ＳＣ（ｐ）の関係は、第１のアンテナＦｉｒｓｔＡｎｔで放射される信号から第２のアンテナＳｅｃｏｎｄＡｎｔで放射される信号を与える、ｋ＝０〜Ｋ−１についての
ＸkSecondAnt＝ε（−１）k+1Ｘ*(p-1-k)modK
によって定義される。ここで、ｐは０とＫ−１との間の偶数のシフトパラメータであり、Ｋは偶数であり、ｋは周波数領域で用いられる各副搬送波のインデックスである。
【００１３】
上述の技法の使用は、電気通信デバイスに割り当てられた副搬送波が連続していないシステムには適合していない。
【先行技術文献】
【特許文献】
【００１４】
【特許文献１】国際公開第２００８／０９８６７２号
【非特許文献】
【００１５】
【非特許文献１】「A simple transmit diversity technique for wireless communications」（IEEE J. Select. Areas Commun., vol. 16, pp. 1451-1458, October 1998）
【発明の概要】
【００１６】
本発明は、電気通信デバイスに割り当てられた副搬送波が連続していないシステムにおいて上述の技法を用いることが可能である電気通信システムを提供することを目的とする。
【００１７】
そのために、本発明は、シンボルを副搬送波にマッピングするために電気通信デバイスによって用いられるシフトパラメータｐを確定する方法に関するものである。この方法は、電気通信デバイスが少なくとも２つの送信アンテナを備え、シンボルが、電気通信デバイスの各アンテナを通じて、電気通信デバイスに割り当てられた２よりも厳密に大きな少なくとも偶数Ｋ個の副搬送波で転送され、
電気通信デバイスが、電気通信デバイスの第１のアンテナによって、タイムスロットの期間中に、ｋ＝０〜Ｋ−１とする割り当てられた副搬送波「ｋ」それぞれで、周波数領域におけるシンボル「Ｘｋ」を表す信号を転送し、
電気通信デバイスが、電気通信デバイスの第２のアンテナによって、上記タイムスロットの期間中に、ｋ＝０〜Ｋ−１とする割り当てられた副搬送波「ｋ」それぞれで、式Ｘ’ｋsecondAnt＝ε（−１）k+1Ｘ＊(p-1-k)modKによって第１の送信アンテナで転送される信号から導出されたシンボル「Ｘ’ｋ」を表す信号を転送し、ここで、εは１又は−１であり、Ｘ＊はＸの複素共役を意味し、ｐ−１−ｋはモジュロＫ（modulo K）がとられており、Ｋは偶数であり、ｐは偶数であるとする方法である。そして、この方法は、
副搬送波を電気通信デバイスに割り当てるステップであって、副搬送波が少なくとも２つのクラスタにグループ化され、各クラスタが、電気通信デバイスに割り当てられていない少なくとも１つの副搬送波によって別のクラスタから分離される、ステップと、
シフトパラメータｐを確定するステップであって、シフトパラメータｐが、偶数であり、電気通信デバイスに割り当てられた副搬送波のクラスタに応じて確定される、ステップとを含むことを特徴とする。
【００１８】
また、本発明は、シンボルを副搬送波にマッピングするために電気通信デバイスによって用いられるシフトパラメータｐを確定するデバイスに関する。このデバイスは、電気通信デバイスが少なくとも２つの送信アンテナを備え、シンボルが、電気通信デバイスの各アンテナを通じて、電気通信デバイスに割り当てられた２よりも厳密に大きな少なくとも偶数Ｋ個の副搬送波で転送され、
電気通信デバイスが、電気通信デバイスの第１のアンテナによって、タイムスロットの期間中に、ｋ＝０〜Ｋ−１とする割り当てられた副搬送波「ｋ」それぞれで、周波数領域におけるシンボル「Ｘｋ」を表す信号を転送し、
電気通信デバイスが、電気通信デバイスの第２のアンテナによって、上記タイムスロットの期間中に、ｋ＝０〜Ｋ−１とする割り当てられた副搬送波「ｋ」それぞれで、式Ｘ’ｋsecondAnt＝ε（−１）k+1Ｘ＊(p-1-k)modKによって第１の送信アンテナで転送される信号から導出されたシンボル「Ｘ’ｋ」を表す信号を転送し、ここで、εは１又は−１であり、Ｘ＊はＸの複素共役を意味し、ｐ−１−ｋはモジュロＫがとられており、Ｋは偶数であり、ｐは偶数であるとするデバイスである。そして、このシフトパラメータを確定するデバイスは、
副搬送波を電気通信デバイスに割り当てる手段であって、副搬送波が少なくとも２つのクラスタにグループ化され、各クラスタが、電気通信デバイスに割り当てられていない少なくとも１つの副搬送波によって別のクラスタから分離される、手段と、
シフトパラメータｐを確定する手段であって、シフトパラメータｐが、偶数であり、電気通信デバイスに割り当てられた副搬送波のクラスタに応じて確定される、手段と
を備えることを特徴とする。
【００１９】
したがって、副搬送波リソース割り当ては、より柔軟なものとなり、不連続な周波数帯域で通信状態が良好である場合に適合することができる。
【００２０】
さらに、本発明によって、一方の送信アンテナで転送される信号が他方の送信アンテナで送信されるＰＡＰＲと同じＰＡＰＲを有することが確実にされる。
【００２１】
最後に、システムの性能は良好なレベルに保たれる。
【００２２】
特定の特徴によれば、第１の送信アンテナ及び第２の送信アンテナのそれぞれでシンボルＸk及びシンボルＸ’k（Ｘ’k＝（−１）kＸ*(p-1-k)modK）がマッピングされているｋ番目の割り当てられた副搬送波と、第１の送信アンテナ及び第２の送信アンテナのそれぞれでシンボルＸ(p-1-k)modK及びシンボル（−１）(p-1-k)modKＸ*kがマッピングされている（ｐ−１−ｋ）ｍｏｄＫ番目の割り当てられた副搬送波とがペアにされ、シフトパラメータｐは、最も距離の離れているペアにされた副搬送波同士の間に含まれる副搬送波の数を最小にするように確定される。
【００２３】
したがって、距離が離れた副搬送波に対する符号化に起因した性能損失は最小になる。
【００２４】
特定の特徴によれば、電気通信デバイスに割り当てられた両端の副搬送波から等距離にある副搬送波が求められ、シフトパラメータｐは、その中間のものが電気通信デバイスに割り当てられた副搬送波であるか否かに応じて確定される。
【００２５】
特定の特徴によれば、第１の送信アンテナ及び第２の送信アンテナのそれぞれでシンボルＸk及びシンボルＸ’k（Ｘ’k＝（−１）kＸ*(p-1-k)modK）がマッピングされているｋ番目の割り当てられた副搬送波と、第１の送信アンテナ及び第２の送信アンテナのそれぞれでシンボルＸ(p-1-k)modK及びシンボル（−１）(p-1-k)modKＸ*kがマッピングされている（ｐ−１−ｋ）ｍｏｄＫ番目の割り当てられた副搬送波とがペアにされ、パラメータｐは次のように確定される。すなわち、中間のものが電気通信デバイスに割り当てられた副搬送波である場合、シフトパラメータｐは、電気通信デバイスに割り当てられ且つ第１のクラスタに含まれる副搬送波の数に等しいか、又は電気通信デバイスに割り当てられ且つ少なくとも２つのクラスタに含まれる副搬送波の数の合計に等しい。
【００２６】
したがって、シグナリングを低減することができる。
【００２７】
特定の特徴によれば、第１の送信アンテナ及び第２の送信アンテナのそれぞれでシンボルＸk及びシンボルＸ’k（Ｘ’k＝（−１）kＸ*(p-1-k)modK）がマッピングされているｋ番目の割り当てられた副搬送波と、第１の送信アンテナ及び第２の送信アンテナのそれぞれでシンボルＸ(p-1-k)modK及びシンボル（−１）(p-1-k)modKＸ*kがマッピングされている（ｐ−１−ｋ）ｍｏｄＫ番目の割り当てられた副搬送波とがペアにされ、シフトパラメータｐは、異なるクラスタにマッピングされている副搬送波とペアにされている副搬送波の数を最小にするように確定される。
【００２８】
したがって、ペアにされたシンボルのうち、チャネル実現が無相関となるものの数が低減され、性能損失が最小になる。
【００２９】
特定の特徴によれば、シフトパラメータのとることが可能な値それぞれについて、移動局に割り当てられ且つ別のクラスタの副搬送波とペアにされている副搬送波の数に等しいコスト関数Ｊ（ｐ）が計算され、シフトパラメータ値ｐは、Ｊ（ｐ）の最小値に対応するｐの値として確定される。
【００３０】
特定の特徴によれば、シフトパラメータのとることが可能な値それぞれについて、２つのペアにされた副搬送波同士の間の最大距離が求められ、Ｊ（ｐ）を最小にするｐの値の中にあるシフトパラメータｐの値が、２つのペアにされた副搬送波同士の間の最大距離の最も小さなものに対応するｐの値である。
【００３１】
特定の特徴によれば、シフトパラメータの確定は、無線セルラー電気通信ネットワークの基地局によって実行され、電気通信デバイスは基地局によってハンドリングされる移動局である。
【００３２】
特定の特徴によれば、移動局に割り当てられた副搬送波を表す情報は移動局に転送される。
【００３３】
したがって、移動局は自身でシフトパラメータｐを確定することができる。基地局と移動局との間のシグナリングが低減される。
【００３４】
特定の特徴によれば、確定されたシフトパラメータを表す情報は移動局に転送される。
【００３５】
したがって、移動局の複雑度は小さくなる。
【００３６】
特定の特徴によれば、基地局は、移動局について確定されたシフトパラメータを用いて、移動局に割り当てられた副搬送波に対してシンボルをデマッピングする。
【００３７】
特定の特徴によれば、シフトパラメータｐの確定は、無線セルラー電気通信ネットワークの移動局によって実行される。
【００３８】
したがって、シグナリングが低減される。
【００３９】
さらに別の態様によれば、本発明は、プログラマブルデバイス内に直接ロード可能とすることができるコンピュータプログラムに関し、このコンピュータプログラムは、該コンピュータプログラムがプログラマブルデバイス上で実行されると、本発明による方法のステップを実施する命令又はコード部を含む。
【００４０】
コンピュータプログラムに関する特徴及び利点は、本発明による方法及び装置に関連して上述したものと同じであるので、ここでは繰り返さないことにする。
【００４１】
本発明の特徴は、１つの例示的な実施形態の以下の説明を読むことによってより明らかになるであろう。この説明は、添付図面に関して作成されたものである。
【図面の簡単な説明】
【００４２】
【図１】本発明が実施される無線セルラー電気通信ネットワークを表す図である。
【図２】本発明が実施される基地局のアーキテクチャを表す図である。
【図３】本発明が実施される移動局のアーキテクチャを表す図である。
【図４】周波数領域における本発明の一特定の実施形態による移動局に含まれる符号化器のアーキテクチャを示す図である。
【図５】本発明の一特定の実施形態によるいくつかの受信アンテナを有する基地局の復号器のアーキテクチャを示す図である。
【図６】本発明の第１の実現モードによる基地局によって実行されるアルゴリズムの一例を開示する図である。
【図７】各クラスタが偶数個の副搬送波を含むときの本発明の第２の実現モードによる基地局によって実行されるアルゴリズムの一例を開示する図である。
【図８】本発明の第３の実現モードによる基地局によって実行されるアルゴリズムの一例を開示する図である。
【図９】本発明の第１の実現モードによる副搬送波に対するシンボルのマッピングの一例を表す図である。
【図１０】本発明の第２の実現モードによる副搬送波に対するシンボルのマッピングの一例を表す図である。
【図１１】コスト関数値及び関連付けられている副搬送波同士の間の最大距離の表を表す図である。
【図１２】本発明の第３の実現モードによる副搬送波に対するシンボルのマッピングの一例を表す図である。
【図１３】本発明に従って確定されたシフトパラメータを用いてシンボルをマッピングするアルゴリズムの一例を開示する図である。
【図１４】本発明に従って確定されたシフトパラメータを用いてシンボルをデマッピングするアルゴリズムの一例を開示する図である。
【発明を実施するための形態】
【００４３】
図１は、本発明が実施される無線セルラー電気通信ネットワークを表している。
【００４４】
本発明は、電気通信システムが無線セルラー電気通信システムである一例において説明される。
【００４５】
本発明は、ローカルエリアネットワークのような無線電気通信システム又は有線電気通信システムにも適用可能である。
【００４６】
その場合、基地局及び移動局は放射器及び／又は受信機である。
【００４７】
図１において、無線セルラー電気通信ネットワークの１つの基地局ＢＳ及び移動局ＭＳが示されている。
【００４８】
本発明は、シフトパラメータｐが基地局によって確定される場合が説明される。
【００４９】
一変形形態では、シフトパラメータは、基地局によって移動局に割り当てられる副搬送波のクラスタから該移動局によって確定される。
【００５０】
基地局ＢＳは、複数の基地局を備える無線セルラー電気通信ネットワークの基地局である。
【００５１】
明瞭にするために、１つの移動局ＭＳのみが示されているが、無線セルラー電気通信ネットワークは、基地局ＢＳと通信するより多くの数の移動局ＭＳを有することができる。
【００５２】
基地局ＢＳはノード又はアクセスポイントと呼ばれる場合もある。
【００５３】
移動局ＭＳは、パーソナルコンピュータ、セットトップボックスのような周辺デバイス、又は電話機とすることができる。
【００５４】
本発明によれば、シンボルを副搬送波にマッピングするために電気通信デバイスによって用いられるシフトパラメータｐが確定される。電気通信デバイスは、少なくとも２つの送信アンテナを備え、シンボルは、電気通信デバイスに割り当てられた２よりも厳密に大きい少なくとも偶数Ｋ個の副搬送波で、電気通信デバイスの各アンテナを通じて転送される。電気通信デバイスは、この電気通信デバイスの第１のアンテナによって、タイムスロットの期間中に、割り当てられた副搬送波「ｋ」それぞれで、周波数領域におけるシンボル「Ｘｋ」を表す信号を転送する。ここで、ｋ＝０〜Ｋ−１である。電気通信デバイスは、この電気通信デバイスの第２のアンテナによって、上記タイムスロットの期間中に、割り当てられた副搬送波「ｋ」それぞれで、式Ｘ’ｋSecondAnt＝ε（−１）k+1Ｘ＊(p-1-k)modKによって第１の送信アンテナで転送される信号から導出されるシンボル「Ｘ’ｋ」を表す信号を、転送する。ここで、ｋ＝０〜Ｋ−１であり、εは１又は−１であり、Ｘ＊はＸの複素共役を意味し、ｐ−１−ｋはモジュロＫがとられており、Ｋ及びｐは偶数である。
【００５５】
電気通信デバイスに割り当てられた副搬送波は、少なくとも２つのクラスタにグループ化され、各クラスタは、電気通信デバイスに割り当てられていない少なくとも１つの副搬送波によって別のクラスタから分離される。
【００５６】
シフトパラメータｐは、偶数と確定され、副搬送波のクラスタに従って電気通信デバイスに割り当てられる。
【００５７】
図２は、本発明が実施される基地局のアーキテクチャを表す図である。
【００５８】
基地局ＢＳは、例えば、バス２０１によって互いに接続された構成要素と、図６、図７若しくは図８、図１３、及び／又は図１４に開示するようなプログラムによって制御されるプロセッサ２００とに基づく、アーキテクチャを有する。
【００５９】
ここで、基地局ＢＳは、専用集積回路に基づくアーキテクチャを有することができることに留意しなければならない。
【００６０】
バス２０１は、プロセッサ２００を、読み出し専用メモリＲＯＭ２０２、ランダムアクセスメモリＲＡＭ２０３、無線インターフェース２０５、及びネットワークインターフェース２０６にリンクする。
【００６１】
ランダムアクセスメモリ２０３は、変数と、図６、図７若しくは図８、図１３、及び／又は図１４に開示するようなアルゴリズムに関連したプログラムの命令とを収容するように意図されたレジスタを含む。
【００６２】
プロセッサ２００は、ネットワークインターフェース２０６の動作及び無線インターフェース２０５の動作を制御する。
【００６３】
読み出し専用メモリ２０２は、図６、図７若しくは図８、図１３、及び／又は図１４に開示するようなアルゴリズムに関連したプログラムの命令を含む。これらの命令は、基地局ＢＳに電源が投入されると、ランダムアクセスメモリ２０３に転送される。
【００６４】
基地局ＢＳは、ネットワークインターフェース２０６を通じて電気通信ネットワークに接続することができる。例えば、ネットワークインターフェース２０６は、ＤＳＬ（デジタル加入者線）モデム又はＩＳＤＮ（サービス統合デジタル網）インターフェース等である。
【００６５】
無線インターフェース２０５は、移動局ＭＳに割り当てられた副搬送波を表す情報を転送する手段を備える。
【００６６】
シフトパラメータｐが基地局によって確定されるとき、無線インターフェース２０５は、次の情報を転送する手段を備え、この情報は、割り当てられた副搬送波に対するシンボルのマッピング及び／又はデマッピングを行うために移動局ＭＳについて確定されて移動局ＭＳによって用いられるシフトパラメータを表す情報である。無線インターフェース２０５は、図４に開示するような符号化器及び／又は図５に開示するような復号器を備える。
【００６７】
図３は、本発明が実施される移動局のアーキテクチャを表す図である。
【００６８】
移動局ＭＳは、例えば、バス３０１によって互いに接続された構成要素と、図６、図７若しくは図８、図１３、及び／又は図１４に開示するようなプログラムによって制御されるプロセッサ３００とに基づく、アーキテクチャを有する。
【００６９】
ここで、移動局ＭＳは、専用集積回路に基づくアーキテクチャを有することができることに留意しなければならない。
【００７０】
バス３０１は、プロセッサ３００を、読み出し専用メモリＲＯＭ３０２、ランダムアクセスメモリＲＡＭ３０３、及び無線インターフェース３０５にリンクする。
【００７１】
ランダムアクセスメモリ３０３は、変数と、図６、図７若しくは図８、図１３、及び／又は図１４に開示するようなアルゴリズムに関連したプログラムの命令とを収容するように意図されたレジスタを含む。
【００７２】
プロセッサ３００は無線インターフェース３０５の動作を制御する。
【００７３】
読み出し専用メモリ３０２は、図１３及び／又は図１４に開示するようなアルゴリズムに関連したプログラムの命令を含む。これらの命令は、移動局ＭＳに電源が投入されると、ランダムアクセスメモリ３０３に転送される。
【００７４】
無線インターフェース３０５は、マッピング手段とデマッピング手段とを備え、マッピング手段は、移動局ＭＳに割り当てられた副搬送波のクラスタから基地局ＢＳ又は移動局ＭＳによって移動局ＭＳについて確定されたシフトパラメータに従い、移動局ＭＳに割り当てられた副搬送波のクラスタに含まれる副搬送波にデータをマッピングし、デマッピング手段は、シンボルをデマッピングする。無線インターフェース３０５は、図４に開示するような符号化器及び／又は図５に開示するような復号器を備える。
【００７５】
図４は、周波数領域における本発明の一特定の実施形態による符号化器のアーキテクチャを示している。
【００７６】
送信されるデータは、シンボルｘnのセットを与える符号化変調モジュール４０によって符号化され、シンボルとして編成される。次に、信号は、ＤＦＴ（離散フーリエ変換）モジュール４１によって周波数領域において拡散される。一変形形態では、ＤＦＴモジュールは、高速フーリエ変換モジュール又は他の任意の処理モジュールと取り替えられる。
【００７７】
ＯＦＤＭＡの場合、ＤＦＴモジュールは必要でない場合がある。
【００７８】
周波数領域において拡散されたシンボルは、転送されるデータを副搬送波にマッピングする周波数マッピングモジュール４２によって、割り当てられた周波数帯域に含まれる副搬送波にマッピングされる。周波数マッピングモジュール４２は、ゼロ挿入機能及び／又は周波数整形機能を備える。
【００７９】
周波数マッピングモジュール４２は、移動局ＭＳに割り当てられた周波数帯域にシンボルをマッピングする。副搬送波は連続した部分帯域に割り当てられていないので、周波数帯域は、いくつかのクラスタに分離されている。周波数マッピングモジュール４２は、移動局ＭＳに割り当てられた周波数帯域の異なるクラスタにシンボルをマッピングする。
【００８０】
図４において、周波数マッピングモジュール４２は、Ｋ＝Ｍ0＋Ｍ1個のシンボルが２つのクラスタのＫ個の副搬送波にマッピングされる一例を示している。第１のクラスタは、ｎ0〜Ｍ0−１で示される副搬送波を含み、第２のクラスタはｎ1〜Ｍ1−１で示される副搬送波を含む。Ｍiは一般に偶数である。
【００８１】
周波数マッピングモジュール４２によって出力されるシンボルは、ＩＤＦＴ（逆離散フーリエ変換）モジュール４３によって時間領域に変換されて戻される。
【００８２】
移動局ＭＳの第１のアンテナを通じて送信する前に、オプションの（optional）サイクリックプレフィックス挿入モジュール４４を適用することもできる。
【００８３】
移動局ＭＳの第２のアンテナには、移動局ＭＳについて確定されたシフトパラメータｐに従って空間周波数ブロック符号計算モジュール４５により計算されたデータが供給され、周波数マッピングモジュール４２と同一の周波数マッピングモジュール４６と、ＩＤＦＴモジュール４３のようなＩＤＦＴモジュール４７と、サイクリックプレフィックス挿入モジュール４４のようなオプションのサイクリックプレフィックス挿入モジュール４８とを有する新しいブランチがもたらされる。
【００８４】
空間周波数ブロック符号計算モジュール４５は、ＤＦＴモジュール４１の出力に接続されている。
【００８５】
図５は、本発明の一特定の実施形態によるいくつかの受信アンテナを有するデバイスの復号器のアーキテクチャを示している。
【００８６】
いくつかの信号５７が受信アンテナから受信される。同期モジュール５０はこれらのすべての受信信号５７を同期させる。
【００８７】
オプションのサイクリックプレフィックス除去モジュール５１1〜５１Lは、サイクリックプレフィックスが用いられている場合に、同期されたすべての信号に対して並列にサイクリックプレフィックスを除去する。
【００８８】
ＤＦＴモジュール５２1〜５２Lは、サイクリックプレフィックスが除去されているか又は除去されていない同期された信号に対してＤＦＴを実行する。一変形形態では、ＤＦＴモジュールは、高速フーリエ変換モジュール又は他の任意の処理モジュールと取り替えられる。
【００８９】
チャネル推定５３1〜５３LのＬ個のモジュール（場合によっては１つの複合モジュール）は、Ｌ個の信号に作用し、それらの信号を、副搬送波のペアをシリアルに処理する２×２（two by two）基本空間周波数ブロック復号器をＫ個有する１つの復号器モジュール５４に、供給する。従来のチャネル復号モジュール５６の前にある逆ＤＦＴモジュール５５は、結果として生じる信号を取り扱う。
【００９０】
ＯＦＤＭＡの場合、ＩＤＦＴモジュール５５は必要でない場合がある。他の変形形態では、ＩＤＦＴモジュール５５を他の処理モジュールと取り替えることができる。
【００９１】
図６は、本発明の第１の実現モードによる移動局のシフトパラメータを確定するアルゴリズムの一例を開示している。
【００９２】
例えば、本アルゴリズムは、基地局ＢＳのプロセッサ２００によって実行される場合が説明される。
【００９３】
副搬送波のクラスタを示す情報が基地局ＢＳから移動局ＭＳによって受信されるときは、同じアルゴリズムを移動局ＭＳのプロセッサ３００が実行することもできる。
【００９４】
本アルゴリズムは、副搬送波のクラスタが基地局ＢＳによってハンドリングされる移動局ＭＳに割り当てられるごとに、実行される。
【００９５】
ステップＳ６００において、プロセッサ２００は、移動局ＭＳに割り当てられた最初の副搬送波のインデックス（index）ｎ0を得る。移動局ＭＳに割り当てられた最初の副搬送波は、移動局ＭＳに割り当てられてＭ0個の副搬送波を含む最初のクラスタＣＬ0における最初の副搬送波である。
【００９６】
次のステップＳ６０１において、プロセッサ２００は、移動局ＭＳに割り当てられた最後の副搬送波のインデックスを得る。移動局ＭＳに割り当てられた最後の副搬送波のインデックスはｎNc-1＋ＭNc-1−１（ｎNc-1 plus ＭNc-1 minus １）に等しい。ここで、Ｎｃは、移動局ＭＳに割り当てられたクラスタの数であり、ｎNc-1は、ＭNc-1個の副搬送波を含む最後のクラスタＣＬNc-1における最初の副搬送波のインデックスである。
【００９７】
次のステップＳ６０２において、プロセッサ２００は、以下の式に従って、移動局ＭＳに割り当てられた最初の副搬送波及び最後の副搬送波から実用上の（sensibly）等距離（equidistant）にある副搬送波のｎequidistantで示されるインデックスを求める。
ｎequidistant＝ｃｅｉｌ（（ｎNc-1＋ＭNc-1−１＋ｎ0）／２）
ここで、「ｃｅｉｌ（ｘ）」はｘ以上の最も近い整数を示す。
【００９８】
次のステップＳ６０３において、プロセッサ２００は、ｎequidistantが移動局ＭＳに割り当てられた副搬送波のインデックスであるか否かをチェックする。
【００９９】
ｎequidistantが移動局ＭＳに割り当てられた副搬送波のインデックスである場合、プロセッサ２００はステップＳ６０５に移動する。そうでない場合、プロセッサ２００はステップＳ６０４に移動する。
【０１００】
ステップＳ６０４では、プロセッサ２００は、以下の式（数１）を用いて、移動局ＭＳに用いられるシフトパラメータｐを確定する。
【０１０１】
【数１】
0005589055.tif 000002
【０１０２】
ここで、ｑは、ｎequidistantよりも小さなインデックスを有する副搬送波を含み且つｎequidistantから最も近いクラスタＣＬqのインデックスである。Ｍiは一般に偶数である。ｐは、下記の数字（数２）以下の最も近い偶整数として選択される。
【０１０３】
【数２】
0005589055.tif 000003
【０１０４】
その後、プロセッサ２００は本アルゴリズムを中断する。
【０１０５】
ステップＳ６０５では、プロセッサ２００は、以下の式（数３）を用いて、移動局ＭＳに用いられるシフトパラメータｐを確定する。
【０１０６】
【数３】
0005589055.tif 000004
【０１０７】
ここで、ｑは、インデックスｎequidistantの副搬送波を含むクラスタＣＬqのインデックスであり、ｎqは、クラスタＣＬqの最初の副搬送波のインデックスである。
【０１０８】
ｐは、下記の数字（数４）以下の最も近い偶整数として選択される。
【０１０９】
【数４】
0005589055.tif 000005
【０１１０】
その後、プロセッサ２００は本アルゴリズムを中断する。
【０１１１】
本発明の第１の実現モードによれば、ペアにされた副搬送波の間の最大距離は最小になる。
【０１１２】
図９は、本発明の第１の実現モードによる副搬送波に対するシンボルのマッピングの一例を表している。
【０１１３】
図９の例では、周波数帯域は、列９２０の０〜１４で示される１５個の副搬送波を含む。これらの副搬送波のうちの１０個が移動局ＭＳに割り当てられている。移動局ＭＳに割り当てられた副搬送波は、列９２１のグレーの長方形によって示されている。割り当てられた副搬送波は３つのクラスタに属する。副搬送波０及び１はクラスタＣＬ0に属し、副搬送波３〜８はクラスタＣＬ1に属し、副搬送波１２及び１３はクラスタＣＬ2に属する。
【０１１４】
図９の例によれば、プロセッサ２００は、ｎequidistantで示すインデックスが７に等しいと確定する。
【０１１５】
インデックス７を有する副搬送波はクラスタＣＬ1に含まれるので、プロセッサ２００は、ステップＳ６０５において、シフトパラメータｐが６に等しいと確定する。
【０１１６】
放射器は、Ｋ（＝１０）個のシンボルを、移動局ＭＳに割り当てられた周波数帯域の副搬送波で転送する２つの送信アンテナを備える。列９２２に示すシンボルＸ0〜Ｘ9は、第１のアンテナを通じて転送される。シンボルＸ0〜Ｘ9は、第１のアンテナで放射される信号Ｘから第２のアンテナ（second antenna）で放射される信号を与える次の式に従って、ｋ＝０〜Ｋ−１及びｐ＝６について変更される。なお、この式は、
Ｘ’ksecondAnt＝（−１）k+1Ｘ*(p-1-k)modK
である。
【０１１７】
行９００は、シンボル対（Ｘ0，−Ｘ5*）がマッピングされている副搬送波０を含む。行９０６は、シンボル対（Ｘ5，Ｘ0*）がマッピングされている副搬送波５を含む。同じシンボルＸ0及びＸ5が副搬送波０及び６にマッピングされており、副搬送波０及び６はペアにされる。
【０１１８】
行９０１は、シンボル対（Ｘ1，Ｘ4*）がマッピングされている副搬送波１を含む。行９０５は、シンボル対（Ｘ4，−Ｘ1*）がマッピングされている副搬送波５を含む。同じシンボルＸ1及びＸ4が副搬送波１及び５にマッピングされている。
【０１１９】
行９０３は、シンボル対（Ｘ2，−Ｘ3*）がマッピングされている副搬送波３を含む。行９０４は、シンボル対（Ｘ3，Ｘ2*）がマッピングされている副搬送波４を含む。同じシンボルＸ2及びＸ3が副搬送波９０３及び９０４にマッピングされている。
【０１２０】
行９０７は、シンボル対（Ｘ6，−Ｘ9*）がマッピングされている副搬送波７を含む。行９１３は、シンボル対（Ｘ9，Ｘ6*）がマッピングされている副搬送波１３を含む。同じシンボルＸ6及びＸ9が副搬送波７及び１３にマッピングされている。
【０１２１】
行９０８は、シンボル対（Ｘ7，Ｘ8*）がマッピングされている副搬送波８を含む。行９１２は、シンボル対（Ｘ8，−Ｘ7*）がマッピングされている副搬送波１２を含む。同じシンボルＸ6及びＸ9が副搬送波８及び１２にマッピングされている。
【０１２２】
図７は、各クラスタが偶数個の副搬送波を含むときの本発明の第２の実現モードによる移動局のシフトパラメータを確定するアルゴリズムの一例を開示している。
【０１２３】
例えば、本アルゴリズムは、基地局ＢＳのプロセッサ２００によって実行される場合が説明される。
【０１２４】
副搬送波のクラスタを示す情報が、基地局ＢＳに対し移動局ＭＳによって受信されるときは、同じアルゴリズムを移動局ＭＳのプロセッサ３００が実行することもできる。
【０１２５】
本アルゴリズムは、副搬送波のクラスタが基地局ＢＳによってハンドリングされる移動局ＭＳに割り当てられるごとに、実行される。
【０１２６】
ステップＳ７００において、プロセッサ２００は、移動局ＭＳに割り当てられた最初の副搬送波のインデックスｎ0を得る。移動局ＭＳに割り当てられた最初の副搬送波は、移動局ＭＳに割り当てられてＭ0個の副搬送波を含む最初のクラスタＣＬ0における最初の副搬送波である。
【０１２７】
次のステップＳ７０１において、プロセッサ２００は、移動局ＭＳに割り当てられた最後の副搬送波のインデックスを得る。移動局ＭＳに割り当てられた最後の副搬送波のインデックスはｎNc-1＋ＭNc-1−１に等しい。ここで、Ｎｃは、移動局ＭＳに割り当てられたクラスタの数であり、ｎNc-1は、ＭNc-1個の副搬送波を含む最後のクラスタＣＬNc-1における最初の副搬送波のインデックスである。
【０１２８】
次のステップＳ７０２において、プロセッサ２００は、以下の式に従って、移動局ＭＳに割り当てられた最初の副搬送波及び最後の副搬送波から実用上の等距離にある副搬送波のｎequidistantで示されるインデックスを求める。
ｎequidistant＝ｃｅｉｌ（（ｎNc-1＋ＭNc-1−１＋ｎ0）／２）
ここで、「ｃｅｉｌ（ｘ）」はｘ以上の最も近い整数を示す。
【０１２９】
次のステップＳ７０３において、プロセッサ２００は、ｎequidistantが移動局ＭＳに割り当てられた副搬送波のインデックスであるか否かをチェックする。
【０１３０】
ｎequidistantが移動局ＭＳに割り当てられた副搬送波のインデックスである場合、プロセッサ２００はステップＳ７０５に移動する。そうでない場合、プロセッサ２００はステップＳ７０４に移動する。
【０１３１】
ステップＳ７０４では、プロセッサ２００は、以下の計算式（数５）を用いて、移動局に用いられるシフトパラメータｐを確定する。
【０１３２】
【数５】
0005589055.tif 000006
【０１３３】
ここで、ｑは、ｎequidistantよりも小さなインデックスを有する副搬送波を含み且つｎequidistantから最も近いクラスタＣＬqのインデックスである。
【０１３４】
ｐは、下記の数字（数６）以下の最も近い偶整数として選択される。Ｍiは一般に偶数であり、等式が成立する（equality stands）。
【０１３５】
【数６】
0005589055.tif 000007
【０１３６】
その後、プロセッサ２００は本アルゴリズムを中断する。
【０１３７】
ステップＳ７０５では、プロセッサ２００は、ｎequidistantが、クラスタＣＬ0に含まれる副搬送波のインデックスであるか否かをチェックする。
【０１３８】
ｎequidistantが、クラスタＣＬ0に含まれる副搬送波のインデックスである場合、プロセッサ２００はステップＳ７０６に移動する。そうでない場合、プロセッサ２００はステップＳ７０７に移動する。
【０１３９】
ステップＳ７０６では、プロセッサ２００は移動局ＭＳに用いられるシフトパラメータｐの値をＭ0に等しくなるように設定する。なお、Ｍ0は偶数でなければならない。そうでない場合、ｐはこの値未満の最も大きな偶整数に設定される。
【０１４０】
その後、プロセッサ２００は本アルゴリズムを中断する。
【０１４１】
ステップＳ７０７では、プロセッサは、以下の式（数７）を用いて、ｍａｘ1及びｍａｘ2で示す２つの値を計算する。
【０１４２】
【数７】
0005589055.tif 000008
【０１４３】
ここで、ｑは、インデックスｎequidistantの副搬送波を含むクラスタＣＬqのインデックスである。
【０１４４】
次のステップＳ７０８において、プロセッサ２００は、ｍａｘ1がｍａｘ2以下であるか否かをチェックする。
【０１４５】
ｍａｘ1がｍａｘ2以下である場合、プロセッサ２００はステップＳ７０９に移動する。そうでない場合、プロセッサ２００はステップＳ７１０に移動する。
【０１４６】
ステップＳ７０９では、プロセッサ２００は、以下の式（数８）を用いて、移動局ＭＳに用いられるシフトパラメータｐを計算する。
【０１４７】
【数８】
0005589055.tif 000009
【０１４８】
ここで、ｑは、インデックスｎequidistantの副搬送波を含むクラスタＣＬqのインデックスである。Ｍiは一般に偶数であり、そしてｐは、以下の式（数９）で求まる。そうでない場合、ｐは、下記の数字（数１０）以下の最も近い偶整数として選択される。
【０１４９】
【数９】
0005589055.tif 000010
【０１５０】
【数１０】
0005589055.tif 000011
【０１５１】
その後、プロセッサ２００は本アルゴリズムを中断する。
【０１５２】
ステップＳ７１０では、プロセッサ２００は、以下の式（数１１）を用いて移動局ＭＳに用いられるシフトパラメータｐを計算する。
【０１５３】
【数１１】
0005589055.tif 000012
【０１５４】
ここで、ｑは、インデックスｎequidistantの副搬送波を含むクラスタＣＬqのインデックスであり、Ｍiは偶数である。そうでない場合、ｐは下記の数字（数１２）以下の最も近い偶整数として選択される。
【０１５５】
【数１２】
0005589055.tif 000013
【０１５６】
その後、プロセッサ２００は本アルゴリズムを中断する。
【０１５７】
本発明の第２の実現モードによれば、ペアにされた副搬送波同士の間の最大距離は最小になり、シフトパラメータｐは、少なくとも１つのクラスタに含まれる副搬送波の数の合計に等しくなるように選ばれる。
【０１５８】
図１０は、本発明の第２の実現モードによる副搬送波に対するシンボルのマッピングの一例を表している。
【０１５９】
図１０の例では、周波数帯域は、列１０２０の０〜９で示される１０個の副搬送波を含む。これらの副搬送波のうちの８つが移動局ＭＳに割り当てられている。移動局ＭＳに割り当てられた副搬送波は、列１０２１のグレーの長方形によって示されている。割り当てられた副搬送波は２つのクラスタに属する。副搬送波０〜５はクラスタＣＬ0に属し、副搬送波７及び８はクラスタＣＬ1に属する。
【０１６０】
図１０の例によれば、プロセッサ２００は、ｎequidistantで示すインデックスが４に等しいと確定する。
【０１６１】
インデックス４を有する副搬送波はクラスタＣＬ0に含まれるので、プロセッサ２００は、ステップＳ７０３からステップＳ７０５に移動し、ステップＳ７０６において、シフトパラメータｐを６に等しいと確定する。
【０１６２】
放射器は、Ｋ（＝８）個のシンボルを、移動局ＭＳに割り当てられた周波数帯域の副搬送波で転送する２つの送信アンテナを備える。列１０２２に示すシンボルＸ0〜Ｘ7は、第１のアンテナを通じて転送される。シンボルＸ0〜Ｘ9は、第１のアンテナで放射される信号Ｘから第２のアンテナ（second antenna）で放射される信号を与える次の式に従って、ｋ＝０〜Ｋ−１及びｐ＝６について変更される。なお、この式は、
Ｘ’ksecondAnt＝（−１）k+1Ｘ*(p-1-k)modK
である。
【０１６３】
行１０００は、シンボル対（Ｘ0，−Ｘ5*）がマッピングされている副搬送波０を含む。行１００５は、シンボル対（Ｘ5，Ｘ0*）がマッピングされている副搬送波５を含む。同じシンボルＸ0及びＸ5が副搬送波０及び５にマッピングされている。副搬送波０及び５について障害は存在しない。障害が発生していないので、受信機側における受信シンボルＸ0及びＸ5の復号が可能である。
【０１６４】
行１００１は、シンボル対（Ｘ1，Ｘ4*）がマッピングされている副搬送波１を含む。行１００４は、シンボル対（Ｘ4，−Ｘ1*）がマッピングされている副搬送波４を含む。同じシンボルＸ1及びＸ4が副搬送波１及び４にマッピングされている。
【０１６５】
行１００２は、シンボル対（Ｘ2，−Ｘ3*）がマッピングされている副搬送波２を含む。行１００３は、シンボル対（Ｘ3，Ｘ2*）がマッピングされている副搬送波３を含む。同じシンボルＸ2及びＸ3が副搬送波２及び３にマッピングされている。副搬送波２及び３について障害は存在しない。
【０１６６】
行１００７は、シンボル対（Ｘ6，−Ｘ7*）がマッピングされている副搬送波７を含む。行１００８は、シンボル対（Ｘ7，Ｘ6*）がマッピングされている副搬送波８を含む。同じシンボルＸ6及びＸ7が副搬送波７及び８にマッピングされている。
【０１６７】
図８は、本発明の第３の実現モードによる移動局のシフトパラメータを確定するアルゴリズムの一例を開示している。
【０１６８】
例えば、本アルゴリズムは、基地局ＢＳのプロセッサ２００によって実行される場合が説明される。
【０１６９】
副搬送波のクラスタを示す情報が、基地局ＢＳに対し移動局ＭＳによって受信されるときは、同じアルゴリズムを移動局ＭＳのプロセッサ３００が実行することもできる。
【０１７０】
本アルゴリズムは、副搬送波のクラスタが基地局ＢＳによってハンドリングされる移動局ＭＳに割り当てられるごとに、実行される。
【０１７１】
ステップＳ８００において、プロセッサ２００は、移動局ＭＳに割り当てられた副搬送波の数Ｋを得る。
【０１７２】
次のステップＳ８０１において、プロセッサ２００は変数ｐをヌル値に設定する。
【０１７３】
次のステップＳ８０２において、プロセッサ２００は、ｐの現在の値をシフトパラメータとして用いてコスト関数Ｊ（ｐ）を計算する。このコスト関数は、別のクラスタの副搬送波とペアにされている、移動局に割り当てられた副搬送波の数に等しい。
【０１７４】
次のステップＳ８０３において、プロセッサ２００は、２つのペアにされた副搬送波同士の間の最大距離に等しい変数Ｄ（ｐ）を計算する。
【０１７５】
次のステップＳ８０４において、プロセッサ２００はｐを２だけインクリメントする。
【０１７６】
次のステップＳ８０５において、プロセッサ２００は、ｐがＫに等しいか否かをチェックする。ｐがＫに等しくない場合、プロセッサ２００はステップＳ８０２に戻る。
【０１７７】
プロセッサ２００は、ｐを偶数としてとることが可能なすべてのｐの値をチェックする。
【０１７８】
プロセッサ２００は、次に、図１１に示すような表を作成する。
【０１７９】
図１１は、コスト関数の値と、関連付けられている副搬送波同士の間の最大距離との表を表している。
【０１８０】
図１１の表は、移動局ＭＳに割り当てられた副搬送波が図１２に開示した通りであるときのＪ（ｐ）及びＤ（ｐ）のさまざまな値を示している。
【０１８１】
ｐがＫに等しい場合、プロセッサ２００はステップＳ８０５からステップＳ８０６に移動する。
【０１８２】
ステップＳ８０６において、プロセッサ２００は、図１１の表に含まれるＪ（ｐ）の最小値を選択する。
【０１８３】
Ｊ（ｐ）の最小値は４に等しい。
【０１８４】
次のステップＳ８０７において、プロセッサ２００は、Ｊ（ｐ）の最小値がｐの２つ以上の値から取得されるか否かをチェックする。
【０１８５】
Ｊ（ｐ）の最小値がｐの２つ以上の値から取得される場合、プロセッサ２００はステップＳ８０９に移動する。そうでない場合、プロセッサ２００はステップＳ８０８に移動する。
【０１８６】
ステップＳ８０８では、プロセッサ２００は、Ｊ（ｐ）の最小値に対応するｐの値としてシフトパラメータｐの値を選択する。
【０１８７】
その後、プロセッサ２００は本アルゴリズムを中断する。
【０１８８】
ステップＳ８０９では、プロセッサ２００は、最も小さなＤ（ｐ）に対応するｐの値の１つとして、Ｊ（ｐ）の最小値に対応するｐの値の中からシフトパラメータｐの値を選択する。
【０１８９】
その後、プロセッサ２００は本アルゴリズムを中断する。
【０１９０】
図１２は、本発明の第３の実現モードによる副搬送波に対するシンボルのマッピングの一例を表している。
【０１９１】
図１２の例では、周波数帯域は、列１２２０の０〜１４で示される１５個の副搬送波を含む。これらの副搬送波のうちの１０個が移動局ＭＳに割り当てられている。移動局ＭＳに割り当てられた副搬送波は、列１２２１のグレーの長方形によって示されている。割り当てられた副搬送波は３つのクラスタに属する。副搬送波０及び１はクラスタＣＬ0に属し、副搬送波３〜８はクラスタＣＬ1に属し、副搬送波１２及び１３はクラスタＣＬ2に属する。
【０１９２】
行１２００は、シンボル対（Ｘ0，−Ｘ7*）がマッピングされている副搬送波０を含む。行１２０８は、シンボル対（Ｘ7，Ｘ0*）がマッピングされている副搬送波８を含む。同じシンボルＸ0及びＸ7が副搬送波０及び８にマッピングされており、そのとき、副搬送波０及び８はペアにされる。副搬送波０及び８について障害は存在しない。障害が発生していないので、受信機側における受信シンボルＸ0及びＸ7の復号が可能である。
【０１９３】
行１２０１は、シンボル対（Ｘ1，Ｘ6*）がマッピングされている副搬送波１を含む。行１２０７は、シンボル対（Ｘ6，−Ｘ1*）がマッピングされている副搬送波７を含む。同じシンボルＸ1及びＸ6が副搬送波１及び７にマッピングされている。
【０１９４】
行１２０３は、シンボル対（Ｘ2，−Ｘ5*）がマッピングされている副搬送波３を含む。行１２０６は、シンボル対（Ｘ5，Ｘ2*）がマッピングされている副搬送波６を含む。同じシンボルＸ2及びＸ5が副搬送波３及び６にマッピングされている。
【０１９５】
行１２０４は、シンボル対（Ｘ3，Ｘ4*）がマッピングされている副搬送波４を含む。行１２０５は、シンボル対（Ｘ4，−Ｘ3*）がマッピングされている副搬送波５を含む。同じシンボルＸ3及びＸ4が副搬送波５及び６にマッピングされている。
【０１９６】
行１２１２は、シンボル対（Ｘ8，−Ｘ9*）がマッピングされている副搬送波１２を含む。行１２１３は、シンボル対（Ｘ8，−Ｘ9*）がマッピングされている副搬送波１３を含む。同じシンボルＸ8及びＸ9が副搬送波１２及び１３にマッピングされている。
【０１９７】
図１３は、本発明に従って確定されたシフトパラメータを用いてシンボルをマッピングするアルゴリズムの一例を開示している。
【０１９８】
本アルゴリズムは、シンボルが基地局ＢＳ及び／又は移動局ＭＳによって送信されるときに実行される。
【０１９９】
本アルゴリズムは、移動局ＭＳによって実行されるときに明らかになる。
【０２００】
ステップＳ１３００において、移動局ＭＳは、該移動局ＭＳに割り当てられた副搬送波を表す情報を受信する。
【０２０１】
次のステップＳ１３０１において、移動局ＭＳは、該移動局ＭＳについて確定されたシフトパラメータｐを表す情報を受信する。
【０２０２】
次のステップＳ１３０２において、転送されるシンボルが、受信されたシフトパラメータに従って、割り当てられた副搬送波にマッピングされ、基地局ＢＳに転送される。
る。
【０２０３】
図１４は、本発明に従って確定されたシフトパラメータを用いてシンボルをデマッピングするアルゴリズムの一例を開示している。
【０２０４】
本アルゴリズムは、シンボルが基地局ＢＳ及び／又は移動局ＭＳによって受信されるときに実行される。
【０２０５】
本アルゴリズムは、基地局ＢＳによって実行されるときに明らかになる。
【０２０６】
ステップＳ１４００において、プロセッサ３００は、基地局ＢＳがハンドリングする移動局ＭＳに割り当てられた副搬送波を表す情報を取得する。
【０２０７】
ステップＳ１４０１において、プロセッサ３００は、基地局ＢＳがハンドリングする移動局ＭＳについて確定されたシフトパラメータｐを表す情報を取得する。
【０２０８】
基地局ＢＳがハンドリングする各移動局ＭＳについて確定されたシフトパラメータｐを表す情報は、図６、図７又は図８に開示されたアルゴリズムに従って確定されたものの通りである。
【０２０９】
次のステップＳ１４０２において、受信シンボルは、受信されたシフトパラメータに従って、割り当てられた副搬送波に対してデマッピングされる。
【０２１０】
当然のことながら、本発明の範囲から逸脱することなく、上述した本発明の実施形態に対して多くの変更を行うことができる。
【図１】
0005589055.tif 000015
【図２】
0005589055.tif 000016
【図３】
0005589055.tif 000017
【図４】
0005589055.tif 000018
【図５】
0005589055.tif 000019
【図６】
0005589055.tif 000020
【図７】
0005589055.tif 000021
【図８】
0005589055.tif 000022
【図９】
0005589055.tif 000023
【図１０】
0005589055.tif 000024
【図１１】
0005589055.tif 000025
【図１２】
0005589055.tif 000026
【図１３】
0005589055.tif 000027
【図１４】
0005589055.tif 000028